(57)【要約】【課題】アクセス権を設定するべき電子情報の数の増加に依存することなく、アクセス権設定作業を簡便化する。【解決手段】利用者が、時間外に業務を継続し、文書ファイルを読み出して作業する際のアクセス権について管理する。利用者が定常時間帯で行っていた作業に関する業務内容を、プロジェクトコードで特定し、当該利用者が過去に、同一のプロジェクトコードの業務としてアクセスしていた文書ファイルを抽出し、抽出された文書ファイルに特定してアクセス権を付与する。プロジェクトコードの定義は、例えば、特定のテーマに基づいて装置を開発する場合、当該装置の開発に関わる業務を共有するためのテーマの識別符号が該当する。【選択図】図３
2017049811.tif 000002
【特許請求の範囲】
【請求項１】
識別情報で識別された利用者から申請された作業時間帯、及び利用者が作業した特定業務の作業履歴を判別可能な作業履歴情報を受け付ける受付手段と、
前記受付手段で受け付けた作業履歴情報に基づき、特定業務の作業中に前記利用者がアクセスした電子情報ファイルを抽出する抽出手段と、
前記受付手段で受け付けた作業時間帯に限定して、前記抽出手段で抽出された電子情報ファイルへのアクセス権を前記利用者に付与する付与手段と、
を有する電子情報管理制御装置。
【請求項２】
前記作業時間帯が、予め定めた定常業務時間帯以後に設定される時間帯であり、
前記付与手段は、作業時間帯になった時点で、利用者に対して、定常業務時間帯に許可したアクセス権に対し、制限を付けたアクセス権に変更して付与する請求項１記載の電子情報管理制御装置。
【請求項３】
前記作業時間帯における利用者の作業履歴に基づき、予め定めた特別の電子情報ファイルへのアクセスがあった場合に、当該特別の電子情報ファイルへのアクセス情報に関する履歴の表示形態を視覚的に強調する請求項１又は請求項２の何れか１項記載の電子情報管理制御装置。
【請求項４】
前記作業時間帯における利用者の作業履歴に基づき、予め定めた特別の電子情報ファイルへのアクセスがあった場合に、管理者に通知する請求項１〜請求項３の何れか１項記載の電子情報管理制御装置。
【請求項５】
前記識別情報で識別された利用者以外に、前記特定業務を共有する他の利用者が存在する場合には、前記付与手段は、前記他の利用者に付与したアクセス権を含めて、前記識別情報で識別された利用者に付与する請求項１〜請求項４の何れか１項記載の電子情報管理制御装置。
【請求項６】
前記作業時間帯の作業中に、前記付与手段により付与された電子情報ファイル以外の電子情報ファイルへのアクセス権の追加を受け付けた場合に、
承認者への追加受付の通知、当該通知に対する承認者からの承認の返信を経て、追加受付を許可する請求項１〜請求項５の何れか１項記載の電子情報管理制御装置。
【請求項７】
コンピュータを、
前記請求項１〜請求項６の何れか１項記載の電子情報管理制御装置として実行させる電子情報管理制御プログラム。
【発明の詳細な説明】
【技術分野】
【０００１】
本発明は、電子情報管理制御装置、電子情報管理制御プログラムに関する。
【背景技術】
【０００２】
特許文献１には、個人情報の不用意な流出、漏洩や個人情報の不正利用などを確実に防止し、個人情報の保護を実現することを目的として、被提供者による電子ファイルに対するアクセスを、ファイルアクセス管理サーバーによって管理し、予め設定されたアクセス可能期間内や、予め設定されたアクセス権に制限することが記載されている。
【０００３】
特許文献２には、特定のユーザーやグループに特定のアクセス権を一時的に付与する操作を安全に実施することが困難であり、また冗長な情報が増加することを課題として、一つの文書に設定するアクセス権設定のリストを複数持たせることを可能とすることが記載されている。また、通常運用中のアクセス権リストと一時的なアクセス権リストを別で管理する、及び一時的なアクセス権リストに付与期間やアクセス許可回数を持たせることが記載されている。
【０００４】
特許文献３には、ユーザーにとって利便性の高い方法でファイルに対するアクセス権を管理する技術として、ファイル内に記載された重要情報に対してそれぞれアクセスレベルを設け、アクセスレベルに対応するアクセス権をユーザーに設定することが記載されている。
【先行技術文献】
【特許文献】
【０００５】
【特許文献１】特開２００６−００４１８９号公報
【特許文献２】特開２０１２−１６４０１４号公報
【特許文献３】特開２００３−２２８５０７号公報
【発明の概要】
【発明が解決しようとする課題】
【０００６】
背景技術では、文字、図形、画像、イラスト、絵画、写真及びこれらの組み合わせを含む電子化された全ての情報（以下、総称して「電子情報」又は「文書情報」という場合がある。）のアクセス権とそのアクセス権が付与されている時間を手作業で設定することが前提となっており、アクセス権を設定する電子情報数が増加するにしたがい設定作業が煩雑となる。
【０００７】
本発明は上記事実を考慮し、アクセス権を設定するべき電子情報の数の増加に依存することなく、アクセス権設定作業を簡便化することができる電子情報管理制御装置、電子情報管理制御プログラムを得ることが目的である。
【課題を解決するための手段】
【０００８】
請求項１に記載の発明は、識別情報で識別された利用者から申請された作業時間帯、及び利用者が作業した特定業務の作業履歴を判別可能な作業履歴情報を受け付ける受付手段と、前記受付手段で受け付けた作業履歴情報に基づき、特定業務の作業中に前記利用者がアクセスした電子情報ファイルを抽出する抽出手段と、前記受付手段で受け付けた作業時間帯に限定して、前記抽出手段で抽出された電子情報ファイルへのアクセス権を前記利用者に付与する付与手段と、を有している。
【０００９】
請求項２に記載の発明は、前記請求項１に記載の発明において、前記作業時間帯が、予め定めた定常業務時間帯以後に設定される時間帯であり、
前記付与手段は、作業時間帯になった時点で、利用者に対して、定常業務時間帯に許可したアクセス権に対し、制限を付けたアクセス権に変更して付与する。
【００１０】
請求項３に記載の発明は、前記請求項１又は請求項２記載の発明において、前記作業時間帯における利用者の作業履歴に基づき、予め定めた特別の電子情報ファイルへのアクセスがあった場合に、当該特別の電子情報ファイルへのアクセス情報に関する履歴の表示形態を視覚的に強調する。
【００１１】
請求項４に記載の発明は、前記請求項１〜請求項３の何れか１項記載の発明において、前記作業時間帯における利用者の作業履歴に基づき、予め定めた特別の電子情報ファイル  請求項５に記載の発明は、前記請求項１〜請求項４の何れか１項記載の発明において、前記識別情報で識別された利用者以外に、前記特定業務を共有する他の利用者が存在する場合には、前記付与手段は、前記他の利用者に付与したアクセス権を含めて、前記識別情報で識別された利用者に付与する。
【００１２】
請求項６に記載の発明は、前記請求項１〜請求項５の何れか１項記載の発明において、前記作業時間帯の作業中に、前記付与手段により付与された電子情報ファイル以外の電子情報ファイルへのアクセス権の追加を受け付けた場合に、承認者への追加受付の通知、当該通知に対する承認者からの承認の返信を経て、追加受付を許可する。
【００１３】
請求項７に記載の発明は、コンピュータを、前記請求項１〜請求項６の何れか１項記載の電子情報管理制御装置として実行させる電子情報管理制御プログラムである。
【発明の効果】
【００１４】
請求項１に記載の発明によれば、アクセス権を設定するべき電子情報の数の増加に依存することなく、アクセス権設定作業を簡便化することができる。
【００１５】
請求項２に記載の発明によれば、定常業務以降の時間帯のアクセス権を制限することができる。
【００１６】
請求項３に記載の発明によれば、特別の電子情報ファイルへのアクセス履歴の表示形態を視覚的に強調することができる。
【００１７】
請求項４に記載の発明によれば、特別の電子情報ファイルへのアクセスを管理者へ通知することができる。
【００１８】
請求項５に記載の発明によれば、特定業務を共有する他の利用者のアクセス権を含めることができる。
【００１９】
請求項６に記載の発明によれば、承認者の承認を受けて、追加の電子情報ファイルのアクセス権を得ることができる。
【００２０】
請求項７に記載の発明によれば、アクセス権を設定するべき電子情報の数の増加に依存することなく、アクセス権設定作業を簡便化することができる。
【図面の簡単な説明】
【００２１】
【図１】本実施の形態に係る電子情報管理制御システムの全体図である。
【図２】本実施の形態に係る電子情報管理制御システムを構成する時間外業務管理制御装置、文書管理制御装置、及び工数情報管理制御装置のそれぞれの制御ブロック図である。
【図３】本実施の形態に係る時間外業務管理制御装置、文書管理制御装置、及び工数情報管理制御装置で実行されるアクセス権付与処理を主体とした機能ブロック図である。
【図４】本実施の形態に係る作業状況確認制御装置で実行される不正監視処理を主体とした機能ブロック図である。
【図５】本実施の形態に係る時間外業務管理制御装置における申請受付処理の流れを示すフローチャートである。
【図６】本実施の形態に係る文書管理制御装置におけるアクセス権付与処理の流れを示すフローチャートである。
【図７】本実施の形態に係る工数管理制御装置における、文書管理制御装置からの問い合わせに対する工数情報リストの作成処理の流れを示すフローチャートである。
【図８】本実施の形態に係る作業状況確認制御装置における不正監視処理（視覚的強調）の流れを示すフローチャートである。
【図９】本実施の形態に係る作業状況確認制御装置における不正監視処理（特別文書アクセス通知）の流れを示すフローチャートである。
【発明を実施するための形態】
【００２２】
（システム）
図１には、本実施の形態に係る電子情報管理制御システムの全体図が示されている。
【００２３】
電子情報管理制御システムは、受付手段の一例としての時間外業務管理制御装置１００、付与手段の一例としての文書管理制御装置１０２、及び抽出手段の一例としての工数情報管理制御装置１０４（総称する場合、「電子情報管理制御装置１０」という）がそれぞれ通信回線網１２によって接続され、相互に情報をやりとりすることで、電子情報管理制御システムとして機能する。
【００２４】
なお、文書管理制御装置１０２の「文書」は、本実施の形態では、文字、図形、画像、イラスト、絵画、写真及びこれらの組み合わせを含み、電子化された全ての電子情報の総称とする。
【００２５】
通信回線網１２は、例えば、ＬＡＮ（ローカル・エリア・ネットワーク）であり、複数のＬＡＮが、ＷＡＮ（ワールド・エリア・ネットワーク）によって相互に接続されていてもよい。また、通信回線網１２を含む全ての通信回線網は、それぞれ有線接続である必要はない。すなわち、一部又は全部が無線によって情報を送受信する無線通信回線網であってもよい。
【００２６】
通信回線網１２の枝線１２Ａには、電子情報管理制御システム１０の文書管理制御装置１０２から文書情報を読み出して作業（閲覧、編集等）ための複数台のＰＣ（パーソナルコンピュータ）１４がそれぞれ接続されている。ＰＣ１４は例えば各ユーザーがそれぞれ占有し、予め定めたアクセス権を持って、電子情報管理制御システム１０とアクセスするようになっている。
【００２７】
なお、通信回線網１２には、出力デバイスとして、画像処理装置１６を接続してもよい。
【００２８】
画像処理装置１６は、ＰＣ１４から遠隔で文書情報を受信して画像形成（プリント）を実行する機能、及びユーザーが画像処理装置１０の前に立って各種操作によって、例えば、複写（コピー）、スキャン（画像読取）、ファクシミリ送受信等の処理を実行する機能を有する。特に、スキャン（画像読取）した文書情報は、電子情報管理制御システム１０へ送出され、文書ファイルとして記憶される場合がある。
【００２９】
図２は、電子情報管理制御システム１０（時間外業務管理制御装置１００、文書管理制御装置１０２、及び工数情報管理制御装置１０４）のそれぞれの制御ブロック図を示しており、それぞれのハード構成は相互に同一であるため、時間外業務管理装置１００を例にとり説明し、文書管理装置１０２及び工数情報管理装置１０４については、符号１００を１０２、１０４に読み替えることで説明を省略する。
【００３０】
時間外業務管理装置１００は、ＣＰＵ１００Ａ、ＲＡＭ１００Ｂ、ＲＯＭ１００Ｃ、Ｉ／Ｏ１００Ｄ及びこれらを相互に接続するデータバスやコントロールバス等のバス１００Ｅを備えている。
【００３１】
Ｉ／Ｏ１００Ｄには、必要に応じてキーボードやマウス等の入力装置１００Ｆと、モニタ１００Ｇが接続されている。また、Ｉ／Ｏ１００Ｄには、Ｉ／Ｆ１００Ｈを介して前記通信回線網１２に接続されている。
【００３２】
さらに、Ｉ／Ｏ１００Ｄには、大規模記録媒体として、ハードディスク（ＨＤＤ）１００Ｉが接続されている。
【００３３】
電子情報管理制御プログラムは、主体となる管理制御装置、例えば、時間外業務管理制御装置１００のＲＯＭ１００Ｂに予めインストールされ、適宜、連携する管理装置、例えば、文書管理制御装置１０２及び工数情報管理制御装置１０４のＲＯＭ１０２Ｂ、１０４Ｂに転送し、通信プロトコルによって相互に連携しあってプログラムを実行する。
【００３４】
ここで、時間外業務管理装置１００のハードディスク１０１Ｉは、時間外業務情報データベース（時間外業務情報ＤＢ）として機能するため、以後、ハードディスク１０１Ｉを、時間外業務情報ＤＢ１０１Ｉという。
【００３５】
また、文書管理制御装置１０２のハードディスク１０２Ｉは、文書データベース（文書ＤＢ）として機能するため、以後、ハードディスク１０２Ｉを、文書ＤＢ１０２Ｉという。
【００３６】
さらに、工数管理制御装置１０４のハードディスク１０４Ｉは、工数情報データベース（工数情報ＤＢ）として機能するため、以後、ハードディスク１０４Ｉを、工数情報ＤＢ１０４Ｉという。
【００３７】
本実施の形態に係る電子情報管理制御システムでは、利用者が、時間外（すなわち、定常時間帯を超えた残業時間帯）に業務を継続し、文書ファイルを読み出して作業する際のアクセス権について管理している。
【００３８】
通常、定常時間帯では、利用者には、一部の特別な文書ファイルを除く場合もあるが、基本的には、文書ＤＢ１０２Ｉ（図３参照）に登録されている文書ファイルの全てにアクセス権を持たせ、利便性を重視している。
【００３９】
これに対して、時間外、すなわち、残業時間中は、定常時間帯で成しえなかった業務を遂行することが多く、当該定常時間帯で作業していた業務に関連する文書ファイルの範囲内で作業が可能であると推測される。
【００４０】
言い換えれば、利便性を重視し、残業時間帯においても、全ての文書ファイルにアクセス権を付与すると、セキュリティ性を損なうおそれがある。
【００４１】
そこで、本実施の形態では、利用者が定常時間帯で行っていた作業に関する業務内容を、「プロジェクトコード」で特定し、当該利用者が過去に、同一のプロジェクトコードの業務としてアクセスしていた文書ファイルを抽出し、抽出された文書ファイルに特定してアクセス権を付与するようにした。
【００４２】
（プロジェクトコードについて）
プロジェクトコードの定義としては、例えば、製造業であれば、特定のテーマに基づいて装置を開発する場合、当該装置の開発に関わる業務を共有するためのテーマの識別符号が該当する。テーマの識別符号は、数字、記号でもよいし、特定の名称を付けてもよい。
【００４３】
プロジェクトコードが決まると、利用者は、当該特定のテーマの開発のために必要な文書ファイルを文書ＤＢ１０２Ｉ（図３参照）から読み出す。このとき、利用者識別情報（利用者ＩＤ）、プロジエクトコードを入力することで、プロジェクトコードで紐付けされた文書ファイルが生成されることになる。
【００４４】
なお、プロジェクトコードは、文書ファイルへのアクセスの都度、入力する必要があるが、例えば、利用者の基本情報として、利用者ＩＤと開発プロジェクトとが紐付けされたアクティブディレクトリ（Ａ．Ｄ．）が存在する場合は、利用者ＩＤから自動的に開発Ｐロジェクトを読み出し、プロジェクトコードを検索するようにしてもよい。
【００４５】
図３は、本実施の形態に係る電子情報管理制御システム１０として機能する、時間外業務管理制御装置１００、文書管理制御装置１０２、及び工数情報管理制御装置１０４が連携し、時間外業務時のアクセス権付与のための制御が実行される機能ブロック図である。
【００４６】
なお、図３の機能ブロック図は、機能別にブロック化したものであり、時間外業務管理制御装置１００、文書管理制御装置１０２、及び工数情報管理制御装置１０４のそれぞれのハード構成を限定するものではない。
【００４７】
（時間外業務情報管理制御装置１００）
例えば、利用者が占有するＰＣ１４（図１参照）から、当該利用者が残業する旨の申請を行うと、時間外業務情報申請受付部２０は、当該申請を受け付ける。
【００４８】
時間外業務情報申請受付部２０は、受け付けた申請情報を申請登録部２２に送出する。
【００４９】
申請登録部２２は、時間外業務情報ＤＢ管理部２４及び時刻管理部２６に接続されている。申請登録部２２は、時間外業務情報ＤＢ管理部２４を介して、申請情報を登録する。
【００５０】
すなわち、時間外業務情報ＤＢ管理部２４では、申請登録部２２から受けた申請情報の登録指示に基づき、時間外業務情報ＤＢ１００Ｉに申請情報を登録する。
【００５１】
申請情報は、（１）利用者識別情報（利用者ＩＤ）、（２）申請作業時間帯、（３）プロジェクトコードを含む情報であり、利用者の申請によって登録されるため、以下において、「時間外業務情報」という場合がある。
【００５２】
前記時刻管理部２６では、時間外業務情報から、申請作業時間帯を抽出し、アクセス権を付与する時期を管理する。すなわち、時刻管理部２６では、申請作業時間帯に基づきアクセス権付与時期（申請時間帯よりも一定時間前が好ましい）になると、時間外業務情報取得部２８に対して処理の実行を指示する。
【００５３】
時間外業務情報取得部２８では、処理の実行の指示を受けると、時間外業務情報ＤＢ管理部２４を介して、該当する申請内容（時間外業務情報）を取得する。
【００５４】
時間外業務情報取得部２８は送出部３０に接続されており、当該取得した時間外業務情報を文書管理制御装置１０２へ送出する。
【００５５】
時間外業務情報管理制御装置１００の送出部３０は、文書管理制御装置１０２の時間外業務情報解析部３２に、時間外業務情報を送出する。時間外業務情報解析部３２は、受け取った時間外業務情報を仕分けする。具体的には、時間外業務情報に含まれる利用者ＩＤ、申請作業時間帯、プロジェクトコードの各情報を特定する。
【００５６】
時間外業務情報解析部３２は、プロジェクトコード抽出部３４及び申請作業時間帯抽出部３６に接続されている。
【００５７】
プロジェクトコード抽出部３４は、時間外業務情報解析部３２で特定された利用者ＩＤ及びプロジェクトコードを抽出する。
【００５８】
また、申請作業時間帯抽出部３６は、時間外業務情報解析部３２で特定された利用者ＩＤ及び申請作業時間帯を抽出する。
【００５９】
プロジェクトコード抽出部３４で抽出した利用者ＩＤ及びプロジェクトコードは、問い合わせ部３８を介して工数情報管理制御装置１０４の工数情報リスト作成部５０へ送出される。これは、文書管理制御装置１０２から工数情報管理制御装置１０４に対して、申請対象の利用者のプロジェクトコードに関する作業状況（工数情報）の問い合わせである。
【００６０】
この問い合わせを受けて、工数情報管理制御装置１０４の工数情報リスト作成部５０は、工数情報ＤＢ管理部５２を介して、工数情報ＤＢ１０４Ｉから、利用者ＩＤ及びプロジェクトコードに基づき、工数情報を読み出する。
【００６１】
また、工数情報リスト作成部５０では、読み出した工数情報をリスト化し、返送部５４へ送出する。
【００６２】
返送部５４は、文書管理制御装置１０２の時間外アクセス文書特定部４０に接続されている。返送部５４は、当該時間外アクセス文書特定部４０へ、工数情報リスト（利用者ＩＤ、並びに、工数情報である作業開始日時及び作業終了日時）を送出する。
【００６３】
工数情報は、プロジェクトコードに基づき、過去の予め定めた期間内での特定業務の作業開始日時及び作業終了日時であるが、この期間は限定されるものではなく、例えば、過去全ての期間でもよいし、期間を限定してもよい。例えば、申請のあった日から遡って１年以内、１週間以内、当日のみといった期間限定で作業開始日時及び作業終了日時を得るようにしてもよい。
【００６４】
文書管理制御装置１０２の時間外アクセス文書特定部４０は、工数情報リストを受け取ると、前記申請作業時間帯抽出部３６から、利用者ＩＤと申請作業時間帯の情報を受け付ける。
【００６５】
時間外アクセス文書特定部４０は、文書ＤＢ管理部４２を介して、文書ＤＢ１０２Ｉにアクセスし、工数情報リスト、利用者ＩＤ及び申請作業時間帯の情報に基づきアクスス可能な文書リストを特定する。
【００６６】
時間外アクセス文書特定部４０は、アクセス権変更部４４に接続されている。時間外アクセス文書特定部４４は、時間外アクセス権に関する情報、すなわち、利用者ＩＤ、申請作業時間帯、及びアクセス可能な文書リストを、アクセス権変更部４４へ送出する。
【００６７】
アクセス権変更部４４では、受け取った利用者ＩＤ、申請作業時間帯、及びアクセス可能な文書リストに基づき、該当する利用者（ここでは、申請を行った利用者）に対して、定常時間帯とは異なるアクセス権に変更する。
【００６８】
例えば、該当する利用者が、定常時間帯ではアクセス権に制限がなかった場合、時間外（申請作業時間帯）では、アクセス可能の文書リストに載っている文書ファイルに限定されてアクセスが可能となる。
【００６９】
また，アクセス権変更部４４はアクセス権付与通知部４６に接続されており、アクセス権が変更になったことを、該当利用者のＰＣ１４（図１参照）に通知する。
【００７０】
（作業状況確認装置１０６）
ここで、文書管理制御装置１０２の文書ＤＢ管理部４２には、作業状況確認制御装置１０６が接続されている。
【００７１】
図４には、作業状況確認制御装置１０６の機能ブロック図が示されている。図４は、作業状況確認制御装置１０６の機能をブロック別に示したものであり、ハード構成を限定するものではない。例えば、作業状況確認制御装置１０６のハード構成は、図２に示す文書管理制御装置１０２と同一であってもよい。
【００７２】
図４に示される如く、文書ＤＢ管理部４２は、アクセス実行文書識別情報取込部６０に接続されている。
【００７３】
アクセス実行文書識別情報取込部６０は、文書ＤＢ管理部４２から、文書ＤＢにアクセスした文書ファイル（以下、「アクセス文書」という」）の識別情報を取り込む。
【００７４】
アクセス実行文書識別情報取込部６０は、視覚強調要否判定部６２に接続され、取り込んだアクセス文書の識別情報を送出する。
【００７５】
視覚強調要否判定部６２には、特別文書識別情報記憶部６４が接続されている。
【００７６】
特別文書とは、例えば、予め定められた重要、かつアクセスが制限された文書である。
【００７７】
視覚強調要否判定部６２では、特別文書識別情報記憶部６４から特別文書識別情報を読み出し、前記アクセス文書の識別情報と照合することで、特別文書がアクセスされているか否かを判定する。判定の結果、アクセス文書が特別文書である場合は、作業履歴を視覚的に強調する必要がある旨の判定（強調有り判定）を行い、判定の結果、アクセス文書が特別文書ではない場合は、作業履歴を視覚的に強調しない旨の判定（強調無し判定）を行う。
【００７８】
視覚強調判定部６２では、判定結果をアクセス文書作業履歴登録部６６へ送出する。アクセス文書作業履歴登録部６６では、アクセス文書の作業履歴を作成する。
【００７９】
ここで、アクセス文書作業履歴登録部６６では、強調有り判定では、視覚強調部６８に対して、アクセス文書に関わる作業履歴の視覚的強調を指示する。指示を受けた視覚強調部６８では、当該アクセス文書に関わる作業履歴を視覚的に強調し、アクセス文書作業履歴登録部６６返送する。
【００８０】
視覚的に強調とは、当該アクセス文書に対する作業履歴（ログ情報）を、他の記録とは異なる書式（例えば、太字にする、文字色を変える、背景色を変える、点滅等）といった表示形態として強調された状態で記録することを言う。なお、本実施の形態の視覚的強調は、枠囲み、アンダーライン、キャラクタ（マーク）付加表示といった直接文字を強調する以外の強調を含むものとする。
【００８１】
アクセス文書履歴登録部６６は、作成したアクセス文書の作業履歴をアクセス文書作業履歴ＤＢ７０に登録する。なお、アクセス文書作業履歴ＤＢ７０は、前述した文書管理制御装置１０２の文書ＤＢ１０２Ｉと共有するようにしてもよい。
【００８２】
アクセス文書作業履歴ＤＢ７０は、作業履歴画像情報送出部７２、作業履歴画像読出部７４、及びアクセス状態指示部７６がそれぞれ接続されている。また、作業履歴画像情報送出部７２、作業履歴画像読出部７４、及びアクセス状態指示部７６は、管理者通信端末と通信するための通信Ｉ／Ｆ７８に接続されている。
【００８３】
ここで、管理者通信端末から通信Ｉ／Ｆ７８に、作業履歴表示の要求があると、作業履歴画像読出部７４では、アクセス文書作業履歴ＤＢ７０に対して、作業履歴読出指示を行う。
【００８４】
この作業履歴読出指示に基づき、アクセス文書作業履歴ＤＢ７０から作業履歴画像情報送出部７２へ作業履歴が出力される。
【００８５】
作業履歴画像情報送出部７２では、作業履歴画像情報を通信Ｉ／Ｆ７８を介して管理者通信端末へ送出する。
【００８６】
また、管理者通信端末から通信Ｉ／Ｆ７８に、アクセス要否情報があると、アクセス状態指示部７６では、当該アクセス要否情報に基づき、文書管理制御装置１０２の文書管理ＤＢ４２に対してアクセスの制限が加えられる。
【００８７】
例えば、アクセス要否情報としては、例えば、アクセス許可、強制ログアウト、アカウントロックがある。
【００８８】
アクセス許可は、アクセスを継続的に許可（現状維持）することである。また、強制ログアウトは、現在のアクセスを強制的に遮断することである。さらに、強制ログアウトは、利用者の全てのアクセスを遮断することである。
【００８９】
以下に本実施の形態の作用を、図５〜図９のフローチャートに従い説明する。
【００９０】
（アクセス権付与制御）
図５は、時間外業務管理制御装置１００における申請受付処理の流れを示すフローチャートである。
【００９１】
ステップ１１０では、時間外業務の申請を受け付けたか否かが判断され、肯定判定されると、ステップ１１２へ移行して、申請内容を時間外業務情報ＤＢ１００Ｉに登録し、ステップ１１４へ移行する。ステップ１１４では、申請対象の時刻管理を開始し、ステップ１１６へ移行する。
【００９２】
また、ステップ１１０で否定判定された場合は、ステップ１１６へ移行する。
【００９３】
ステップ１１６では、アクセス権付与時期か否かが判断され、否定判定された場合は、このルーチンは終了する。
【００９４】
また、ステップ１１６で肯定判定された場合は、ステップ１１８へ移行して、時間外業務情報ＤＢ１００Ｉから時間外業務情報（利用者ＩＤ、申請作業時間帯、及びプロジェクトコードを含む）を取得し、次いで、ステップ１２０へ移行して文書管理制御装置１０２へ、当該時間外業務情報を送出し、このルーチンは終了する。
【００９５】
図６は、文書管理制御装置１０２におけるアクセス権付与処理の流れを示すフローチャートである。
【００９６】
ステップ１２２では、時間外業務情報管理制御装置１００から時間外業務情報を受け取ったか否かが判断され、否定判定された場合はこのルーチンは終了する。
【００９７】
また、ステップ１２２で肯定判定、すなわち、時間外業務情報を受け取ったと判定されると、ステップ１２４へ移行して時間外業務情報を解析し、ステップ１２６へ移行する。時間外業務情報の解析とは、当該時間外業務情報から利用者ＩＤ、申請作業時間帯、プロジェクトコードを特定することである。
【００９８】
ステップ１２６では、時間外業務情報から利用者ＩＤ及びプロジェクトコードを抽出し、次いでステップ１２８へ移行して、工数情報管理制御装置１０４へ問い合わせを行い、ステップ１３０へ移行する。
【００９９】
ステップ１３０では、前記時間外業務情報から利用者ＩＤ及び申請作業時間帯を抽出し、ステップ１３２へ移行する。
【０１００】
ステップ１３２では、工数情報管理制御装置１０４へ問い合わせに対する返送（詳細後述、図７参照）があったか否かが判断される。
【０１０１】
このステップ１３２では、返送があるまで待機し（否定判定）、肯定判定されるとステップ１３４へ移行して、返送情報（工数情報リスト）に基づき、文書ＤＢ１０２Ｉから時間外アクセス文書を特定し、ステップ１３６へ移行する。なお、別ルーチンで待機中にエラー（一定期間内に返送がない、通信が途切れた等）が発生した場合は、割込処理によりエラー対応処理（警告、復帰プログラム起動、シャットダウン等）を行うようにしてもよい。
【０１０２】
ステップ１３６では、該当する利用者に対し、アクセス権の変更処理を実行し、次いでステップ１３８へ移行して該当する利用者に対し、アクセス権の付与（変更）の通知を実行して、このルーチンは終了する。
【０１０３】
図７は、工数管理制御装置１０４における、文書管理制御装置１０２からの問い合わせに対する工数情報リストの作成処理の流れを示すフローチャートである。
【０１０４】
ステップ１４０では、文書管理制御装置１０２から問い合わせがあったか否かが判断され、否定判定された場合はこのルーチンは終了する。
【０１０５】
また、ステップ１４０で肯定判定されると、ステップ１４２へ移行して、利用者ＩＤ及びプロジェクトコードに基づき、工数情報リストを作成する。工数情報リストは、利用者ＩＤ、当該利用者がプロジェクトコードに基づく特定業務を行った際の作業開始日時及び作業終了日時を含む。
【０１０６】
次のステップ１４４では、工数情報リストを文書管理制御装置１０２の時間外アクセス文書特定部４０へ返送し、このルーチンは終了する。
【０１０７】
ここで、同一のプロジェクトコードの下で作業した他の利用者がアクセスした履歴のある文書ファイルを、併せてアクセス可能としてもよい。
【０１０８】
また、時間外業務中にアクセス権のない文書ファイルのアクセスを要求する場合は、管理者への通知、及び通知に対する管理者からの許可の返送があった時点で、当該文書ファイルのアクセス権を付与するようにしてもよい。
【０１０９】
（作業状況確認制御「作業履歴視覚的強調」）
図８は、作業状況確認制御装置１０６における不正監視処理の流れを示すフローチャートである。この図８は、不正監視の手段として、作業履歴を視覚的に強調するものである。
【０１１０】
ステップ１５０では、時間外業務中か否かが判断される。このステップ１５０で否定判定されると、ステップ１５２へ移行してアクセス権が時間外業務に変更されている場合は、通常許可に戻し、このルーチンは終了する。
【０１１１】
また、ステップ１５０で肯定判定されると、ステップ１５４へ移行してアクセス実行文書の識別情報を取り込み、次いでステップ１５６へ移行して、予め定めた特別文書の識別情報を読み出して、ステップ１５８へ移行する。
【０１１２】
ステップ１５８では、アクセス実行文書の識別情報と、特別文書の識別情報とを照合し、ステップ１６０へ移行して、前記照合の結果を判定する。
【０１１３】
ステップ１６０で、アクセス実行文書の識別情報と、特別文書の識別情報とが一致した場合（肯定判定）はステップ１６２へ移行して、アクセス実行文書を視覚的に強調し、作業履歴を作成し、ステップ１６６へ移行する。
【０１１４】
また、ステップ１６０で、アクセス実行文書の識別情報と、特別文書の識別情報とが不一致した場合（否定判定）はステップ１６４へ移行して、アクセス実行文書の作業履歴を作成し、ステップ１６６へ移行する。
【０１１５】
ステップ１６６では、アクセス実行文書の作業履歴を登録し、ステップ１６８へ移行する。
【０１１６】
ステップ１６８では、管理者から作業履歴の表示要求があったか否かが判断され、肯定判定されると、ステップ１７０へ移行して作業履歴画像情報を管理者へ送出し、ステップ１７２へ移行する。また、ステップ１６８で否定判定された場合はステップ１７２へ移行する。
【０１１７】
ステップ１７２では、管理者からアクセス要否情報を受け取ったか否かが判断され、肯定判定されると、ステップ１７４へ移行して、指示に基づきアクセス権の制限を実行する。
【０１１８】
例えば、アクセス許可の指示があった場合は、アクセスの継続を許可（現状維持）する。また、強制ログアウトの指示があった場合は、現在のアクセスを強制的に遮断する。さらに、強制ログアウトの指示があった場合は、利用者の全てのアクセスを遮断する。
【０１１９】
（作業状況確認制御「特別文書アクセス通知」）
図９は、作業状況確認制御装置１０６における不正監視処理の流れを示すフローチャートである。この図９は、不正監視の手段として、特別文書へのアクセス時に管理者へ通知するものである。なお、図８と同一の処理のステップに付与する符号は、図８で適用した符号の末尾に「Ａ」を付した符号とする。
【０１２０】
ステップ１５０Ａでは、時間外業務中か否かが判断される。このステップ１５０Ａで否定判定されると、ステップ１５２Ａへ移行してアクセス権が時間外業務に変更されている場合は、通常許可に戻し、このルーチンは終了する。
【０１２１】
また、ステップ１５０Ａで肯定判定されると、ステップ１５４Ａへ移行してアクセス実行文書の識別情報を取り込み、次いでステップ１５６Ａへ移行して、予め定めた特別文書の識別情報を読み出して、ステップ１５８Ａへ移行する。
【０１２２】
ステップ１５８Ａでは、アクセス実行文書の識別情報と、特別文書の識別情報とを照合し、ステップ１６０Ａへ移行して、前記照合の結果を判定する。
【０１２３】
ステップ１６０Ａで、アクセス実行文書の識別情報と、特別文書の識別情報とが一致した場合（肯定判定）はステップ１６１へ移行する。ステップ１６１では、管理者に、特別文書にアクセスがあったことを通知して、ステップ１６４Ａへ移行して、アクセス実行文書の作業履歴を作成し、ステップ１６６Ａへ移行する。
【０１２４】
また、ステップ１６０Ａで、アクセス実行文書の識別情報と、特別文書の識別情報とが不一致した場合（否定判定）はステップ１６４Ａへ移行して、アクセス実行文書の作業履歴を作成し、ステップ１６６Ａへ移行する。
【０１２５】
ステップ１６６Ａでは、アクセス実行文書の作業履歴を登録し、ステップ１７２Ａへ移行する。
【０１２６】
ステップ１７２Ａでは、管理者からアクセス要否情報を受け取ったか否かが判断され、肯定判定されると、ステップ１７４Ａへ移行して、指示に基づきアクセス権の制限を実行する。
【０１２７】
例えば、アクセス許可の指示があった場合は、アクセスを継続的に許可（現状維持）する。また、強制ログアウトの指示があった場合は、現在のアクセスを強制的に遮断する。さらに、強制ログアウトの指示があった場合は、利用者の全てのアクセスを遮断する。
【０１２８】
なお、アクセス要否情報は、前記アクセス許可、強制ログアウト、アカウントロックに限定されず、文書ファイル単位ではなく、細部に亘る制限（静止画、動画といった一定容量以上の情報を拒否したり、個人情報に関する部分のアクセスを拒否する等）を指示するようにしてもよい。
【０１２９】
また、図８の作業履歴視覚的強調処理と、図９の特別文書アクセス通知処理は、並行処理するようにしてもよい。
【０１３０】
ここで、時間外業務情報管理制御装置１００の制御（図５参照）、文書管理制御装置１０２の制御（図６参照）、及び工数情報管理制御装置１０４の制御（図７参照）は、それぞれ独立して処理が実行されるが、電子情報管理制御システムとして互いに連携し合って実行されるものである。
【０１３１】
従って、図２に示すように、時間外業務情報管理制御装置１００、文書管理制御装置１０２、及び工数情報管理制御装置１０４のハード構成を別々にすることに限定されず、単一の制御装置として構築するようにしてもよい。
【０１３２】
本実施の形態のようにハード構成を別々にした場合、或いは単一の制御装置として構築した場合において、電子情報管理制御プログラムが、例えば、時間外業務管理制御装置１００のＲＯＭ１００Ｂに予めインストールされていることとしたが、これに限定されるものではない。例えば、ＣＤ−ＲＯＭ（Compact Disk Read Only Memory）に代表されるディスク型記録媒体、ＳＤ（Secure Digital）に代表されるメモリカード型記録媒体に格納されて提供される形態、又は、通信回線網を介して提供される形態としてもよい。
【０１３３】
また、作業状況確認制御装置１０６は、他の管理制御装置、例えば、文書管理制御装置１０２の一部の機能として組み込んでもよい。
【０１３４】
なお、図５〜図９のフローチャートの処理の手順は一例であり、例えば、同一の結果が得られるのであれば、各ステップの処理が経時的に前後して処理されたり、同時に処理されてもよい。
【０１３５】
比較例として、時間外の文書アクセスは、許可を付与するための作業が煩雑（文書毎の手作業）であった。
【０１３６】
これに対して、本実施の形態では、時間外業務申請者が入力する業務テーマ（プロジェクトコード）に基づく履歴により、申請者が行ってきた業務に付されているテーマを手がかりに、申請者が時間外で使用する可能性のある文書が抽出される。このため、アクセス可能な文書を自動的に抽出され、アクセス権設定作業を簡便化する。
【符号の説明】
【０１３７】
１０    電子情報管理制御装置
１２    通信回線網
１２Ａ    枝線
１４    ＰＣ
１６    画像処理装置
２０    時間外業務情報申請受付部
２２    申請情報を申請登録部
２４    時間外業務情報ＤＢ管理部
２６    時刻管理部
２８    時間外業務情報取得部
３０    送出部
３２    時間外業務情報解析部
３４    プロジェクトコード抽出部
３６    申請作業時間帯抽出部
３８    問い合わせ部
４０    時間外アクセス文書特定部
４２    文書ＤＢ管理部
４４    アクセス権変更部
４６    アクセス権付与通知部
５０    工数情報リスト作成部
５２    工数情報ＤＢ管理部
５４    返送部
６０    アクセス実行文書識別情報取込部
６２    視覚強調要否判定部
６４    特別文書識別情報記憶部
６６    アクセス文書作業履歴登録部
６８    視覚強調部
７０    アクセス文書作業履歴ＤＢ
７２    作業履歴画像情報送出部
７４    作業履歴画像読出部
７６    アクセス状態指示部
７８    通信Ｉ／Ｆ
１００    時間外業務管理制御装置、
１０２    文書管理制御装置
１０４    工数情報管理制御装置
１０６    作業状況確認制御装置
１００Ｉ    ハードディスク（時間外業務情報ＤＢ）
１０２Ｉ    ハードディスク（文書ＤＢ）
１０４Ｉ    ハードディスク（工数情報ＤＢ）
【図２】
2017049811.tif 000003
【図３】
2017049811.tif 000004
【図４】
2017049811.tif 000005
【図５】
2017049811.tif 000006
【図６】
2017049811.tif 000007
【図７】
2017049811.tif 000008
【図８】
2017049811.tif 000009
【図９】
2017049811.tif 000010
【図１】
2017049811.tif 000011